(57)【要約】  本発明は同期信号、特に時間的精度がナノ秒未満である超高分解能の同期信号を生成するための電子装置に関する。  本発明の装置（１）は内部クロックだけでなく、同期される装置の外部クロックによっても動作し、それにより同期信号の如何なるドリフト及び不確実性も回避することができる。  本装置の主要な要素は、外部クロック周波数で動作し時間的な超高分解能を達成可能にするプログラマブル遅延線（１３２）を備えた、プログラマブル・デジタル構成要素（１３０）の形態で具体化される。  前記発明はまた様々な装置の同期が完全に保たれるような方法で相互接続される、幾つかの同期装置を備えたシステムに関する。本発明は高精度でほぼ無制限の数の装置を制御することを可能にする。【選択図】図１
2008503887.tif 000002
【特許請求の範囲】
【請求項１】
第一振動周波数で発信された第一外部クロック信号から同期信号を生成するための電子装置（１）であって、前記信号がクロック入力（１４０）と呼ばれる入力へ供給され、それらが少なくとも：
・第一振動周波数と同一の周波数の正弦波信号を得るように外部クロック信号をフォーマットするための第一電子手段（１１０、１１１、１１２）と、
・前記正弦波信号から、
―時間ベースの基準として用いられる第一の周期的同期信号Ｓｏであって、前記信号が第一の繰り返し周波数を有し、前記信号が基準出力（１４２）と呼ばれる電子出力へ供給される周期的同期信号と、
―第二の繰り返し周波数を有する複数の第二の周期的同期信号ＳＳＹＮＣであって、前記第二信号が第一同期信号に対してプログラム可能な時間だけシフトされ、前記第二信号がプログラムされた遅延信号出力と呼ばれる電子出力へ供給される周期的同期信号と、
を生成するための第二電子手段（１３０）と、
を備えることを特徴とする、同期信号を生成するための電子装置。
【請求項２】
クロック出力と呼ばれる電子出力（１４１）へ供給される、第一外部クロック信号と同一の周波数を有する第二の外部同期クロック信号を生成する手段（１２０）を備えることを特徴とする、請求項１に記載の同期信号を生成するための電子装置。
【請求項３】
第二電子装置（１３０）が特にＦＰＧＡタイプのプログラムマブル・デジタル構成要素を含み、前記プログラムマブル・デジタル構成要素が一組の遅延線（１３２）を制御し、各々の第二同期信号ＳＳＹＮＣが前記遅延線から得られることを特徴とする請求項１に記載の同期信号を生成するための電子装置。
【請求項４】
第一同期信号Ｓｏは各パルスが鋸歯の形態を有する同一の時間的パルス列の形態をとり、第二同期信号ＳＳＹＮＣはまた各パルスが鋸歯の形態を有する同一の時間的パルス列の形態をとり、前記鋸歯の上昇エッジＭと下降エッジＤが、第一同期信号Ｓｏの対応する鋸歯の上昇エッジに対して、プログラム可能な第一の時間δＭ及び第二の時間δＤだけシフトされていることを特徴とする、請求項３に記載の同期信号を生成するための電子装置。
【請求項５】
プログラムマブル・デジタル構成要素（１３０）が、電子装置を独立して動作させるために必要なパラメータを内部に格納した電子メモリ（１３１）を含むことを特徴とする、請求項３に記載の同期信号を生成するための電子装置。
【請求項６】
装置がマイクロコンピュータ（３）を有する電子インターフェース手段（３１）を備え、前記マイクロコンピュータは、装置（１）の機能を制御及びプログラミングすることが可能であることを特徴とする、請求項１に記載の同期信号を生成するための電子装置。
【請求項７】
装置が、少なくとも一つの外部信号から該装置の一定の機能を同期させることを可能にする電子トリガー手段を備え、前記信号が「トリガー」入力と呼ばれる電子入力（１４４）へ供給されることを特徴とする、請求項１に記載の同期信号を生成するための電子装置。
【請求項８】
装置が電子装置用又は電気機械装置用、あるいは安全システム用の制御信号の配信を可能にする制御手段を備え、前記信号が電子制御出力部（１４５）に配信されることを特徴とする請求項１に記載の同期信号を生成するための電子装置。
【請求項９】
第一電子手段が電子フィルタ装置（１１０）及び可変ゲイン装置（１１１）を含むことを特徴とする請求項１に記載の同期信号を生成するための電子装置。
【請求項１０】
第二の外部同期クロック信号を生成する手段が、基本的に可変ゲイン装置（１１１）の出力部に置かれる電子カプラー（１２０）であることを特徴とする請求項２及び８に記載の同期信号を生成するための電子装置。
【請求項１１】
第一振動周波数が２０ＭＨｚ〜１００ＭＨｚの間にあることを特徴とする請求項１〜１０のいずれか一項に記載の同期信号を生成するための電子装置。
【請求項１２】
繰り返し周波数が１Ｈｚ〜２０ＭＨｚの間にあることを特徴とする請求項１〜１１のいずれか一項に記載の同期信号を生成するための電子装置。
【請求項１３】
鋸歯の上昇エッジＭ及び下降エッジＤが２５０ピコ秒の時間的精度を有することを特徴とする、請求項４に記載の同期信号を生成するための電子装置。
【請求項１４】
第一振動周波数で発信された第一外部クロック信号から同期信号を生成するための電子システムであって、
少なくとも請求項２及び７による、少なくとも一つの第一及び一つの第二電子装置（１）を備え、第一装置が第一外部クロック信号から制御され、第一装置の基準出力（１４２）が「トリガー」リンクと呼ばれる第一リンク（１５０）を用いて、第二装置の「トリガー」入力と呼ばれる電子入力（１４４）に接続され、そして第一装置（１４１）のクロック出力が「クロック」リンクと呼ばれる第二リンク（１５１）を用いて、第二装置のクロック入力（１４０）に接続され、その他の各装置が「トリガー」リンク・タイプ又は「クロック」リンク・タイプの二つのリンクにより、次の装置へと接続されることを特徴とする、同期信号を生成するための電子システム。
【請求項１５】
レーザー・サブシステムであって、少なくとも次のオプトエレクトロニクス要素、
・レーザーパルス列の形態の光ビーム（５０）を発信する局部発振器（４０）と、
・エネルギー増幅サブシステム（４２、４４、４５）と、
・光ビーム（４１、４３、４６）を空間的及び時間的にフォーマットする手段と、
・制御、モニタリング、及び測定手段（２、３、２１、２２、２３、２４、２５、２６、２７、３１）とを備え、
前記サブシステムが少なくとも、
・局部発振器の出力部に置かれる半反射の光学スプリッタ（４７）と、
・光ビームの一部を受けるために前記スプリッタ（４７）のチャンネルの一つに置かれ、前記光ビームを代表する電気信号を配信するフォトダイオード（２）と、
・該フォトダイオードから得られた電気信号が前記装置又は前記システム用のクロック信号として用いられ、前記装置（１）又は前記システムから得られた同期信号ＳＳＹＮＣが、サブシステムの様々なオプトエレクトロニクス要素を同期させるために用いられる、請求項１〜１３のいずれか一項に記載の装置（１）、又は請求項１〜１４のいずれか一項に記載の同期信号を生成するための電子システムと、
を備えることを特徴とするレーザー・サブシステム。 
【発明の詳細な説明】
【技術分野】
【０００１】
本発明の分野は同期信号を生成するための電子装置である。より具体的には、その技術分野は信号の時間的な精度が１ナノ秒未満である非常に高分解能の同期信号に関する。これらの装置は、特にパルスの持続時間がおよそ数百フェムト秒で、それらのエネルギーがおよそ１テラワットである、高エネルギーで極度に短いレーザーパルス列を配信するレーザー・サブシステムにおいて用いられる。
【背景技術】
【０００２】
これらのサブシステムは通常、レーザーパルスを発生させ、増幅し、フォーマットするために必要な多くのオプトエレクトロニクス要素、及びこれらのパルスを制御し、モニターし、測定するための要素を備える。ここで、発信されたパルスは非常に短い持続時間を有するため、該サブシステムの最適な動作及び発信されたパルスの出来る限り良好な再現性の両方を確実にするように、高い時間的精度を有するサブシステムの様々な要素を同期させることが極めて重要である。
【０００３】
現在の同期装置は幾つかの欠点を示す。一方で、これらの様々な装置の内部クロックは、必ずしも同期されるべきシステムの要素から得られる外部信号と完全に同期されない。他方で、システムが同期されるべき多数の要素を含む時、それら全てを単一の同期装置と同期させることは不可能となる。この場合、幾つかの同期装置が使用され、これらの装置は英語の専門用語で「トリガー」（Ｔｒｉｇｇｅｒ）とも呼ばれるトリガー装置によりそれらの間で同期される。これらのトリガーは同期装置の内部クロック信号から生み出される。これらのクロック信号は周期的である。トリガー精度はクロック信号の一周期に等しいことは実証できる。例えば、１００ＭＨｚの周波数で発信されたクロック信号に対して、同期精度はそのとき一周期、すなわち１０ナノ秒に等しい。この精度は、一定の適用に対してはシステムの様々な要素の完全な同期を可能にするために十分ではない。
【発明の開示】
【発明が解決しようとする課題】
【０００４】
従って、本発明はもはや内部クロックではなく、同期される装置から得られた外部クロックで動作する装置を提案する。それゆえ、如何なる時間的ドリフトも回避され、同期信号の同期精度は上昇する。本発明はまた様々な装置の同期が完全に保たれるように互いに相互接続された、このタイプの多数の装置を含むシステムもまた提案する。従って事実上無制限の数の装置を、非常に高い精度で制御することが可能である。これらの装置はマイクロコンピュータで制御されることができ、従ってこのタイプの適用に対して特に専用のソフトウェアを用いて、迅速で単純かつ人間工学的な実施を可能にする。
【課題を解決するための手段】
【０００５】
より具体的には、本発明の主題は第一振動周波数で発信される、クロック入力と呼ばれる入力へ供給される第一外部クロック信号からの同期信号を生成するための電子装置であって、それらが少なくとも：
・第一振動周波数と同一の周波数の正弦波信号を得るように外部クロック信号をフォーマットするための第一電子手段と、
・前記正弦波信号から、
―時間ベースの基準として用いられる第一の周期的同期信号であって、前記信号が第一の繰り返し周波数を有し、前記信号が基準出力と呼ばれる電子出力へ供給される周期的同期信号と、
―第二の繰り返し周波数を有する複数の第二の周期的同期信号であって、前記第二信号が第一同期信号に対してプログラム可能な時間だけシフトされ、前記第二信号がプログラムされた遅延信号出力と呼ばれる電子出力へ供給される周期的同期信号と、
を生成するための第二電子手段と、
を備えることを特徴とする。
【０００６】
有利なことに、本装置は又第一の外部クロック信号と同一の周波数を有する、第二の外部同期クロック信号を生成する手段を備え、前記信号はクロック出力と呼ばれる電子出力へ供給され、前記第二電子手段はプログラマブル・デジタル構成要素、特に「高速プログラマブル・ゲートアレイ」（Ｆａｓｔ  Ｐｒｏｇｒａｍｍａｂｌｅ  Ｇａｔｅ  Ａｒｒａｙ）の英語での頭字語であるＦＰＧＡタイプを含み、前記プログラマブル・デジタル構成要素は一組の遅延線を制御し、各々の第二同期信号は前記遅延線から得られる。
【０００７】
有利なことに、第一同期信号は各パルスが鋸歯の形態を有する同一の時間的パルス列の形態をとり、第二同期信号もまた各パルスが鋸歯の形態を有する同一の時間的パルス列の形態をとり、前記鋸歯の上昇エッジと下降エッジは第一同期信号の対応する鋸歯の上昇エッジに対して、プログラム可能な第一の時間及び第二の時間だけシフトされている。
【０００８】
更に、プログラマブル・デジタル構成要素は電子装置を独立に動作させるために必要なパラメータが内部に格納されている電子メモリを含み、該装置はまたマイクロコンピュータを有する電子インターフェース手段を備え、前記マイクロコンピュータは該装置の機能を制御及びプログラムすることが可能である。それは又少なくとも一つの外部信号から装置の一定の機能を同期させることを可能にする、電子トリガー手段を備え、前記信号は「トリガー」入力と呼ばれる電子入力へ供給される。最後に、該装置は制御信号を電子装置、又は電気機械装置、あるいは安全システムに配信することを可能にする制御手段を備え、前記信号は電子制御出力に配信される。
【０００９】
有利なことに、第一電子手段は電子フィルタ装置及び可変ゲイン装置を含み、第二の外部同期クロック信号を生成する手段は、本質的に該可変ゲイン装置の出力部に置かれる電子カプラーである。
【００１０】
一般に、第一振動周波数は２０ＭＨｚ〜１００ＭＨｚの間であり、同期信号の繰り返し周波数は１Ｈｚ〜２０ＭＨｚの間であり、鋸歯の上昇及び下降エッジは２５０ピコ秒の時間的精度を有する。
【００１１】
本発明はまた第一振動周波数で発信された第一外部クロック信号から同期信号を生成するための電子システムに関し、それが前に定義された少なくとも一つの第一及び第二電子装置を備え、第一装置は第一外部クロック信号から制御され、第一装置の基準出力は「トリガー」リンクと呼ばれる第一リンクにより、第二装置の「トリガー」入力と呼ばれる電子入力に接続され、そして第一装置のクロック出力は「クロック」リンクと呼ばれる第二リンクにより、第二装置のクロック入力に接続され、その他の各装置は二つの「トリガー」又は「クロック」タイプのリンクにより、次の装置へ接続されることを特徴とする。
【００１２】
本発明は、望ましくは少なくとも次のオプトエレクトロニクス要素、
・レーザーパルス列の形態で光ビームを放射する局部発振器と、
・エネルギー増幅サブシステムと、
・光ビームを空間的及び時間的にフォーマットする手段と、
・制御、モニタリング、及び測定手段と
を備えたレーザー・サブシステムに適用される。
また前記サブシステムは少なくとも、
・局部発振器の出力部に置かれる半反射の光学スプリッタと、
・光ビームの一部を受けるために前記スプリッタのチャンネルの一つに置かれるフォトダイオードであって、
・前記光ビームを代表する電気信号を配信するフォトダイオードと、
・前述の同期信号を生成するための電子装置又は電子システムであって、
該フォトダイオードから得られた電気信号が前記装置又は前記システム用のクロック信号として用いられ、前記装置又は前記システムから得られた同期信号が、サブシステムの様々なオプトエレクトロニクス要素を同期させるために用いられる装置又はシステムとを備えることを特徴とする。
【００１３】
本発明は制限されない例により与えられる以下の記述を読み、そして添付図を参照することによって更に良く理解され、他の利点が明らかになるであろう。
【発明を実施するための最良の形態】
【００１４】
制限されない例として、図１は本発明による同期信号１を生成するための電子装置を表わす。それは主として、
・第一振動周波数と同一の周波数の正弦波信号を得るように外部クロック信号をフォーマットするための第一電子手段１１０、１１１及び１１２と、
・前記正弦波信号から、
―時間ベースの基準として用いられる第一の周期的同期信号であって、前記信号が第一の繰り返し周波数を有し、前記信号が基準出力と呼ばれる電子出力１４２へ供給される周期的同期信号と、
―第二の繰り返し周波数を有する複数の第二の周期的同期信号であって、前記第二信号が第一同期信号に対してプログラム可能な時間だけシフトされ、前記第二信号がプログラムされた遅延信号出力と呼ばれる電子出力１４３へ供給される周期的同期信号とを生成するための第二電子手段１３０、１３１、１３２と、
・クロック出力と呼ばれる電子出力１４１へ供給される、第一外部クロック信号と同一の周波数を有する第二の外部同期クロック信号を生成する手段１２０と、
・装置の機能の全部又は一部を制御及びプログラミング可能にするマイクロコンピュータ３を有する電子インターフェース手段３１と、
・「トリガー」入力と呼ばれる電子入力１４４へ供給される少なくとも一つの外部信号から、装置の一定の機能を同期させることを可能にする電子トリガー手段と、
・電子装置用又は電気機械装置用、あるいは安全装置用に、電子制御出力１４５に配信されている制御信号を配信することを可能にする制御手段とを備える。
【００１５】
一定数のパルス・レーザーのような機器又は、電子システムあるいはオプトエレクトロニクス・システムは、非常に高い安定性のクロック信号を配信する。本発明の原理はこのクロック信号を、同期されるべき装置の様々な構成要素を同期させるために使用することである。良好なクロック信号を得るために、前記信号が単一周波数のみを含むこと、すなわち時間に対する振幅変化が完全な正弦曲線であることが重要である。ここで、例えば周期的パルス信号であるオリジナルの外部クロック信号は、該信号の周期性に相当するその基本周波数以外に、この基本周波数の倍数である高調波周波数を含むことができる。図１において、このクロック信号はソース２により供給される。結果として本発明による装置は、外部クロック信号ＳＥＸＴから単一周波数のフィルタリングされた信号ＳＥＮＴを得ることを可能にする、第一電子手段１１０、１１１、及び１１２を備える。これらの手段は、その周波数がクロック信号の繰り返し周波数に等しい、既知の振幅のフィルタリングされた正弦波信号ＳＦＩＬＴを得ることを可能にする、電子フィルタ１１０及び可変ゲイン増幅器１１１を基本的に備える。最終の信号ＳＥＮＴが常にプラスとなるように、電子加算器装置１１２は正弦波信号に少なくとも該正弦波信号の振幅の半分に等しい直流成分を加えることを可能にする。この最後の備えは、同期信号を生成する第二電子手段による、その後の処理を単純化する。図２の三つの曲線は電子フォーマット手段を通じた、時間Ｔに対する信号の連続的な形を表わす。第一の曲線は外部クロック信号ＳＥＸＴ、第二の曲線はフィルタリングされたこの同じ信号ＳＦＩＬＴ、そして最後の曲線は電子加算器装置１１２の出力における信号ＳＥＮＴを表わす。
【００１６】
可変ゲイン増幅器１１１と加算器装置１１２の間には、クロック出力と呼ばれる電子出力１４１へ供給される、第一外部クロック信号と同一の周波数を有する第二の外部同期クロック信号を生成することを可能にする、電子カプラー１２０が置かれている。
【００１７】
第二電子手段の主要な機能は、前の正弦波信号ＳＥＮＴから同期信号ＳＳＹＮＣを生成することである。これらの電子手段の中核部は、「高速プログラマブル・ゲートアレイ」（Ｆａｓｔ  Ｐｒｏｇｒａｍｍａｂｌｅ  Ｇａｔｅ  Ａｒｒａｙ）の英語での頭字語にあたるＦＰＧＡタイプであり得る、プログラマブル・デジタル構成要素１３０を備える。このプログラマブル・デジタル構成要素は、
・時間ベースの基準として用いられる第一の周期的同期信号Ｓｏであって、前記信号が第一繰り返し周波数を有し、前記信号が基準出力と呼ばれる電子出力１４２へ供給される周期的同期信号と、
・第二の繰り返し周波数を有する複数の第二の周期的同期信号ＳＳＹＮＣであって、前記第二信号が第一同期信号Ｓｏに対してプログラム可能な時間δＭだけシフトされ、前記第二信号がプログラムされた遅延信号出力と呼ばれる電子出力１４３へ供給される周期的同期信号とを生成する。
【００１８】
同期信号の形は図３に例示されている。同期信号Ｓｏ及びＳＳＹＮＣは各パルスが鋸歯の形態を持つ同一の時間的パルス列の形態を有し、前記鋸歯の上昇エッジＭと下降エッジＤは、基準として取られた第一同期信号Ｓｏの対応する鋸歯の上昇エッジに対して、プログラム可能な第一の時間δＭ及び第二の時間δＤだけシフトされている。同期信号ＳｏとＳＳＹＮＣを分離している時間ＴＯとＴＳは、該同期信号ＳｏとＳＳＹＮＣの繰り返し周波数ｆｏとｆＳＹＮＣの逆数に等しい。繰り返し周波数ｆＳＹＮＣは繰り返し周波数ｆｏに等しいか、又はその約数であり得る。
【００１９】
プログラマブル・デジタル構成要素１３０はクロック周波数で動作し、前記クロック周波数の周期よりも大きい時間的分解能を有する信号は配信出来ない。従ってクロック周波数が１００ＭＨｚの場合、デジタル構成要素の固有の分解能は１０ナノ秒である。より小さい時間的分解能を得るために、プログラマブル・デジタル構成要素１３０の出力部にはプログラム可能な遅延線１３２があり、各々の第二同期信号ＳＳＹＮＣは該遅延線から生じる。従って外部クロックの時間周期よりもはるかに小さい、鋸歯の上昇エッジ及び下降エッジの時間的精度が得られる。前の例によりおよそ５０ピコ秒の、英語の専門用語で「ジッター」（ｊｉｔｔｅｒ）とも呼ばれる時間的不確実性を伴う、およそ２５０ピコ秒の時間的分解能を得ることが可能である。
【００２０】
使用者の利便性と人間工学の理由で、図１に双方向矢印により象徴的に表わされている電子インターフェース３１を用いて、装置の様々な機能をマイクロコンピュータ３によりモニターすることができる。これらの電子インターフェース３１は単純な電子リンクであってもよく、或いは、例えばＲＳ２３２基準のような電子装置間のデータ交換用の電子的基準に従って定義されることができる。制御及びモニタリングのソフトウェアは、ナショナル・インストゥルメント社（Ｎａｔｉｏｎａｌ  Ｉｎｓｔｒｕｍｅｎｔｓ）により開発された商品名「ラブビュー」（ＬＡＢＶＩＥＷ）によって知られる計測器モニタリング・ソフトウェアのような、特定のソフトウェアを用いて開発されることができる。同期装置がプログラムされたパラメータに対して、もはやマイクロコンピュータ３により管理されない場合、特に該装置がマイクロコンピュータ３の管理外で独立して動作し続けることができるように、同期信号を支配する様々な遅延が保たれる場合は有利である。このために、プログラマブル・デジタル構成要素は電子メモリ１３１を有する。
【００２１】
一例として、図４は本発明による同期装置１を含むシステムを例示している。同期信号を必要とする装置は、極度に短いパルスを発信するレーザー・サブシステムである。発信されたレーザービーム５０は図４に双方向矢印により象徴されている。該サブシステムは順に、以下を含む。
・レーザーパルスを配信する光発振器４０。一般に、該パルスの持続時間はおよそ数百フェムト秒であり、それらは高い繰り返し周波数で発信され、この第一周波数の大きさはおよそ数十ＭＨｚである。この繰り返し周波数は発振器の非常に微弱なノイズ相を考えると、非常に高い安定度である。
・時間的にフェムト秒のパルスの延長を可能にする、英語の専門用語で「ストレッチャー」（Ｓｔｒｅｔｃｈｅｒ）とも呼ばれる回折格子を有する第一光学装置４１。該パルスの持続時間は従って１，０００〜１０，０００の係数により倍加する。このパルスの延長により、サブシステムの出力部において相当な大きさであるピーク出力は相応に減少する。従ってサブシステムの様々な光学要素の完全な安全性が大いに拡大されることができる。
・「ストレッチャー」より得られたパルスから、より高いエネルギーを有する所定の光学モードでパルスを供給することを可能にする、再生増幅器と呼ばれる第一の増幅器４２。これらのパルスは１Ｈｚ〜５００ＫＨｚの間の低い繰り返し周波数で配信される。
・持続時間を厳密に制限することにより、パルスのノイズ制限を可能にするポケットセル装置４３。
・レーザーパルスのプリアンプ・ユニット４４及び増幅ユニット４５。
・最後に、元の持続時間に戻し従ってそのピーク出力を増加させるために、パルスの時間的な圧縮を可能にする、英語の専門用語で「コンプレッサー」（Ｃｏｍｐｒｅｓｓｏｒ）とも呼ばれる第二の回折格子装置４６。
【００２２】
明らかに、要求に応じてこのサブシステムは別の光学要素を含むことができ、それは一つの増幅チャンネル又は並列に幾つかの増幅チャンネル等を持つことが可能である。
【００２３】
発信されたパルスにおいて幾何学的、測光的、及び分光のデータと特性を利用するため、サンプルがレーザー・サブシステムの様々な場所で採取される。これらのサンプルは光ビーム５０に沿って置かれた半反射ブレード４７を用いて採取され、該採取された光ビームは例えば測定用フォトダイオード２、２２及び２４、英語の専門用語で「ストリーク・カメラ」（ｓｔｒｅａｋ  ｃａｍｅｒａ）とも呼ばれる超高速カメラ２１及び２３、オシロスコープ等に送られる。従って、光発振器４０から得られたレーザーパルス列の一部をフォトダイオード２に送ることができる。前記フォトダイオードから得られた電気信号は、次に本発明による同期装置１のクロック入力１４０に供給される。この信号から該同期装置１は、
・時間ベースの基準として用いられる第一の周期的同期信号Ｓｏであって、
前記信号がパルスの低い繰り返し周波数に等しい繰り返し周波数を有し、前記信号が基準出力と呼ばれる電子出力１４２へ供給され、トリガー装置２５を用いて再生増幅器と呼ばれる第一の増幅器４２の始動を制御する周期的同期信号と、
・第一の複数の第二周期的同期信号ＳＳＹＮＣであって、前記第二信号が第一同期信号に対してプログラム可能な時間だけシフトされ、前記第二信号がプログラムされた遅延信号出力と呼ばれる電子出力１４３へ供給され、そしてトリガー装置２６及び２７を用いてサブシステムの様々な光学要素を制御する周期的同期信号とを配信し、
該同期装置１は又、
・発振器の故障の際のサブシステムの要素の保護、又は使用者の保護を確実にするために使用可能な制御信号を配信する。
【００２４】
同期装置の全てのパラメータは図４において双方向矢印で表わされているインターフェース３１を経由して、マイクロコンピュータ３により管理される。
【００２５】
一つの同じ装置から得られる同期信号の数は必然的に制限される。ここで、一定のシステム、特に一定のパルス・レーザー・サブシステムは、互いに同期される必要がある多くの要素を含む。この場合、本発明による装置はサブシステムの全ての要素を同期させるように意図された同期システムを形成するために、他の同一の装置と連結されることが可能である。同期信号が互いに完全に同期するため、以下の二つの条件が満たされねばならない。
・様々な同期装置は同じ内部クロックで動作しなければならない。
・同期信号は単一の時間ベースに対して同期されなければならない。
【００２６】
これらの二つの条件を達成するために、必要なのは以下の配置に従って二つの連続した同期装置１を連結することである。
・第一装置の基準出力１４２が、「トリガー」リンクと呼ばれる第一リンク１５０を用いて第二装置の「トリガー」入力と呼ばれる電子入力１４４に接続され、
・第一装置のクロック出力１４１が、「クロック」リンクと呼ばれる第二リンク１５１を用いて第二装置のクロック入力１４０に接続される。
【００２７】
その他の各装置は、二つの「トリガー」タイプのリンク又は「クロック」タイプのリンクにより次へと接続される。「クロック」及び「トリガー」リンクは電線１ｍあたり数ナノ秒の遅れを取り込む。これらの遅れは各々の同期装置のプログラマブル・デジタル構成要素において容易に補償可能である。
【００２８】
勿論、第一装置は外部同期ソース２と接続されている。
【図面の簡単な説明】
【００２９】
【図１】本発明による装置の全体ブロック線図を表わす。
【図２】外部クロック信号のフォーマットを表わす。
【図３】同期信号の全般的形態を表わす。
【図４】本発明による装置を組み込んだレーザー・サブシステムを表わす。
【図５】相互接続された二つの装置を含む本発明による同期システムを表わす。
【図１】
2008503887.tif 000003
【図２】
2008503887.tif 000004
【図３】
2008503887.tif 000005
【図４】
2008503887.tif 000006
【図５】
2008503887.tif 000007
【国際調査報告】
2008503887.tif 000008
2008503887.tif 000009
2008503887.tif 000010
2008503887.tif 000011
2008503887.tif 000012
2008503887.tif 000013